(57)【特許請求の範囲】
【請求項１】
遊技媒体を貯留する受皿を備えた遊技機に設置され、内部に組み込まれた遊技媒体払出装置から払出される遊技媒体を前記受皿に向けて案内するノズルシュートを備えた遊技媒体貸出装置であって、
前記ノズルシュートには、前記遊技媒体が複数枚並列して通過できない幅に設定され、前記遊技媒体払出装置から払出される遊技媒体を水平状態に摺動案内する摺動案内部と、前記摺動案内部から滑り落ちてくる遊技媒体を落下させる落下案内部と、前記落下案内部から落下する遊技媒体を起立状態に転動案内する転動案内部と、が設けられ、
前記摺動案内部と前記落下案内部は差し込み式であると共に、両者の差込位置を調整する伸縮機構を有し、
前記摺動案内部には、長さ方向に沿って落下案内部に移行する領域に亘って２列形成されると共に、２列の幅が、前記遊技媒体が摺動案内部のどの位置を摺動しても、遊技媒体の表面と接触するように設定されたリブが設けられ、
前記リブは導電性のある金属で形成され、一方のリブを接地し、他方のリブを検知回路に接続することで、水平状態に摺動する遊技媒体が接触した場合に短絡する検知センサとして機能し、
前記検知回路が、短絡による電圧値の変化を所定時間以上検知したことにもとづいて前記遊技媒体払出装置の駆動を停止制御する制御手段を設けたことを特徴とする遊技媒体貸出装置。
【発明の詳細な説明】
【技術分野】
【０００１】
本発明は、例えば、スロットマシン（以下、「遊技機」とも称する）が設置されている遊技場に設置され、遊技機間に配設可能な遊技媒体貸出装置に関する。
【背景技術】
【０００２】
一般的に、パチンコホールのような遊技場では、遊技者の便宜を図るため、遊技機が多数設置された領域（「島」とも称する）において、隣接する遊技機間に、遊技媒体を貸し出すための縦長状の遊技媒体貸出装置が設置されている。この遊技媒体貸出装置は、各遊技機間に固定設置されるフレームに装着されており、対応する挿入口を通じて紙幣、硬貨、プリペイドカード等が挿入されることにより、遊技者に対して遊技媒体を貸出すようになっている。
【０００３】
最近では、遊技者の利便性が図れるように、例えば、特許文献１に開示されているように、遊技媒体貸出装置から払出されるメダル、コイン等の遊技媒体（以下、メダルと称する）をノズル状の案内路（以下、ノズルシュートと称する）を介して、直接、遊技機の受皿に案内するようにしたものが知られている。このような遊技媒体貸出装置によれば、遊技者は、紙幣などを遊技媒体貸出装置に投入するだけで、直接、受皿にメダルが払出されるため、多量のメダルを持ち運ぶ必要性がなく便利である。
【０００４】
ところで、遊技媒体貸出装置は、通常、一度に多数枚のメダルを払出すことから、上記したノズルシュートの内部でメダル詰まりが生じる可能性がある。このようなメダル詰まりが生じると、遊技媒体貸出装置の内部に設置されたメダル払出装置に負荷が掛かり好ましくはない。また、上記したようなメダル詰まりが発生した際、早急にメダル払出装置の駆動を停止しないと、ノズルシュート内に多数のメダルが詰まってしまい、その除去作業に手間が掛かってしまう。
【０００５】
このような問題を解決するために、特許文献２には、ノズルシュートの先端側壁に、メダル経路と直交する方向に光を照射する発光部、及び発光部からの光を受光する受光部で構成されるメダルセンサを配設しておき、メダル詰まりが検知された場合、メダル払出装置の駆動を停止させる遊技媒体貸出装置が開示されている。
【特許文献１】特開２００３−１０５２４
【特許文献２】特開２００３−２３６２２３
【発明の開示】
【発明が解決しようとする課題】
【０００６】
しかしながら、前記特許文献２に開示されている遊技媒体貸出装置は、払出されたメダルを、ノズルシュートの基端部に形成された傾斜部に当接させた後、その重量によってメダル溝に落下させて起立状態とし、そのままノズルシュート内を転動させる構成となっている。このため、メダル払出装置から払出されたメダルは、傾斜部によって勢いが低下することから、ノズルシュート内でメダル詰まりが生じ易い要因となってしまう。また、傾斜部に当接後のメダルが重なってしまい、複数枚のメダルが連続してノズルシュートを通過することで、誤ってメダル詰まりを検出してしまう可能性がある。
【０００７】
なお、上記した特許文献１に開示されている遊技媒体貸出装置のノズルシュートによれば、メダルは、摺動面に沿って水平状態で滑り落ちて行く構成であるため、特許文献２に開示されている遊技媒体貸出装置よりは、メダル詰まりが生じ難いと考えられる。しかしながら、ノズルシュートの摺動面とメダルの表面との間の摩擦、或いは異物等の付着により、長期に亘って使用すると、スムーズにメダルが流れなくなることがあり、短い使用期間でメダル詰まりが起こり易くなる可能性がある。また、特許文献１に開示されている遊技媒体貸出装置には、メダル検知センサが設けられていないことから、そのようなメダル詰まりが生じた際、メダル払出装置の駆動を停止制御することはできない。
【０００８】
本発明は、上記した事情に着目してなされたものであり、メダル等の遊技媒体の払出し時にノズルシュート内で詰まりを生じ難くし、かつそのような詰まりが生じたことが検知可能な検知センサを備えた遊技媒体貸出装置を提供することを目的とする。
【課題を解決するための手段】
【０００９】
上記した課題を解決するために、請求項１に記載された遊技媒体貸出装置は、遊技媒体を貯留する受皿を備えた遊技機に設置され、内部に組み込まれた遊技媒体払出装置から払出される遊技媒体を前記受皿に向けて案内するノズルシュートを備えた遊技媒体貸出装置であって、前記ノズルシュートには、前記遊技媒体が複数枚並列して通過できない幅に設定され、前記遊技媒体払出装置から払出される遊技媒体を水平状態に摺動案内する摺動案内部と、前記摺動案内部から滑り落ちてくる遊技媒体を落下させる落下案内部と、前記落下案内部から落下する遊技媒体を起立状態に転動案内する転動案内部と、が設けられ、前記摺動案内部と前記落下案内部は差し込み式であると共に、両者の差込位置を調整する伸縮機構を有し、前記摺動案内部には、長さ方向に沿って落下案内部に移行する領域に亘って２列形成されると共に、２列の幅が、前記遊技媒体が摺動案内部のどの位置を摺動しても、遊技媒体の表面と接触するように設定されたリブが設けられ、前記リブは導電性のある金属で形成され、一方のリブを接地し、他方のリブを検知回路に接続することで、水平状態に摺動する遊技媒体が接触した場合に短絡する検知センサとして機能し、前記検知回路が、短絡による電圧値の変化を所定時間以上検知したことにもとづいて前記遊技媒体払出装置の駆動を停止制御する制御手段を設けたことを特徴とする。
【００１０】
上記した構成の遊技媒体貸出装置によれば、遊技媒体払出装置から払出されるメダル等の遊技媒体は、ノズルシュートを経由して、遊技機に設置された受皿に払出される。この場合、遊技媒体は、摺動案内部との間で面接触することなく、接触面積が小さいリブに接触しながら水平状態に滑り落ちて行くため、摩擦抵抗が軽減され、遊技媒体払出装置から払出された遊技媒体の勢いが低下することはない。従って、ノズルシュート内での遊技媒体の詰まりを生じ難くすることができる。また、前記接触面積が少ないリブを設けることで、異物等の付着が極力防止され、長期に亘って、遊技媒体をスムーズに摺動させることができる。さらに、前記リブには、遊技媒体が詰まったことを検知する検知センサが設けられており、遊技媒体が詰まった際には、前記制御手段によって遊技媒体払出装置の駆動が停止制御されることから、詰まりを容易に除去すること、及び遊技媒体払出装置に作用する負荷を軽減することが可能となる。
【００１２】
また、上記した構成では、リブは導電性のある金属材料で形成されていることから、接触抵抗が軽減され、長期に亘ってスムーズに遊技媒体が流れて詰まりの可能性が低くなると同時に簡単な構成でメダル詰まりの検出が行なえるようになる。
【００１４】
さらに、上記した構成では、摺動案内部は、遊技媒体１枚分が検知できるような幅に設定されていることから、摺動案内部の幅を無用な広さにすることなく、コンパクト化することが可能となる。また、リブは、通過する遊技媒体と必ず接触して短絡を検知するように構成されていることから、正確に精度良く遊技媒体を検知することが可能になる。
【発明の効果】
【００１５】
本発明によれば、メダル等の遊技媒体の払出し時にノズルシュート内で詰まりを生じ難くし、かつそのような詰まりが生じても、それを直ちに検知することが可能な遊技媒体貸出装置が得られるようになる。
【発明を実施するための最良の形態】
【００１６】
以下、図面を参照しながら、本発明に係る遊技媒体貸出装置の実施形態について説明する。
【００１７】
図１は、本実施形態に係る遊技媒体貸出装置の構成を示す図であり、図２は、遊技媒体貸出装置内に設置される遊技媒体払出装置の一構成例を示す図である。
【００１８】
図１に示すように、遊技媒体貸出装置１は、略直方体状に形成された筐体１ａを備えており、この筐体１ａが遊技機であるスロットマシン１００に隣接して設置される。なお、図においては、１台のスロットマシン１００に隣接設置される遊技媒体貸出装置のみを示しているが、スロットマシンが多数隣接して設置される島設備では、スロットマシン間にあるフレームの係止部（図示せず）に装着され、正面向かって右側に設置される遊技媒体貸出装置１から遊技媒体が払出されるようになっている。
【００１９】
前記筐体１ａの前面（露出側になる面）１ｂには、紙幣や貨幣価値を有する有価媒体（プリペイドカード等）を挿入する投入口３ａ，３ｂが形成されており、遊技者がそれらのいずれかを対応する投入口に挿入することで、その貨幣価値に応じた遊技媒体（以下、メダルと称する）が所定枚数払出される。なお、前面には、前記投入口以外にも、例えば、有価媒体の使用度数を選択するテンキー操作部４や有価媒体の残度を示す表示部５等が設けられていても良い。また、上記した紙幣や有価媒体以外にも、硬貨を取り扱えるように構成されていても良い。
【００２０】
前記筐体１ａ内には、実際にメダルを払出す遊技媒体払出装置（以下、メダル払出装置と称する）２００が設置されている。このメダル払出装置２００は、遊技者が投入口３ａ，３ｂに挿入した紙幣、或いは有価媒体の貨幣価値に応じた分のメダルを連続的に払出す機能を備えている。
【００２１】
具体的に、前記メダル払出装置２００は、例えば、図２に示すように構成されており、メダルを多数枚集積したホッパ２０１と、ホッパに集積されたメダルを１枚づつ払出す公知の払出ユニット２０２を備えている。ホッパ２０１内には、筐体１ａの前面１ｂに設けられたロック機構６に鍵を差し込んで前面１ｂを開閉することにより、或いは、島設備の内部に設置されるメダル搬送機構を介してメダルが供給される。なお、前記ホッパ２０１内に集積されたメダルは、払出ユニット２０２に設けられた公知のメダル排出機構によって、排出口２０４から水平状態乃至は略水平状態となって、所定枚数が連続的に払出される。
【００２２】
前記スロットマシン１００は、変動表示装置（例えば、３つの回転リールを有するリールユニット等）を組み込んだ筐体１０２と、筐体１０２の前面側に開閉可能に支持される前面ドア１０３とを備えている。前記前面ドア１０３には、遊技領域１０５が設けられており、縦長矩形の表示窓１０７Ｌ，１０７Ｃ，１０７Ｒを介して、上記したリールユニットの各リール１０６Ｌ，１０６Ｃ，１０６Ｒが視認できるようになっている。
【００２３】
また、前面ドア１０３には、台座部１１０が設けられており、この部分に遊技を行なうに際して操作される各種の操作部（ＢＥＴボタン１１１、スタートレバー１１２、停止ボタン１１３ａ〜１１３ｃ、メダル投入口１１４、Ｃ／Ｐボタン１１５など）が設けられている。また、前面ドア１０３には、前記遊技領域１０５に隣接して、遊技に際して表示される各種の表示部を有する表示領域１２０が設けられている。
【００２４】
さらに、前記前面ドア１０３の下方には、遊技で獲得したメダルや、上記した遊技媒体貸出装置１から払出されるメダルを貯留する受皿１３０が配置されている。この場合、遊技で獲得したメダルは、前面ドア１０３の下方に設けられたメダル排出口１２１から直接払出され、遊技媒体貸出装置１から貸出されるメダルは、以下に詳述するノズルシュート１０を介して払出される。このノズルシュート１０は、一端部が遊技媒体貸出装置１の筐体１ａに形成された保持部７に水平方向に沿って回動可能に保持され、他端部（排出口）が受皿１３０に位置付けられる。
【００２５】
以下、図１、及び図３から図６を参照して、ノズルシュート１０の構成を具体的に説明する。なお、これらの図において、図３は、ノズルシュートを回動した状態を示す平面図、図４は、ノズルシュートの正面図、図５は、ノズルシュートの側面図、そして、図６は、図５のＡ−Ａ線に沿った断面図である。
【００２６】
前記ノズルシュート１０は、例えば、アクリル樹脂などのプラスチック材料によって成形されており、メダルが流れるシュート本体１１を備えている。シュート本体１１は、流れるメダルの状態を考慮した場合、３つの領域を備えている。具体的に、これらの領域は、メダル払出装置２００から排出されるメダルを前方側下方向に向けて滑るように案内する摺動案内部１１Ａ、この摺動案内部１１Ａで滑り落ちてくるメダルを落下させる落下案内部１１Ｂ、そして、この落下案内部１１Ｂで落下するメダルを起立させて受皿１３０に向けて転動案内する転動案内部１１Ｃで構成される。
【００２７】
前記摺動案内部１１Ａは、断面略矩形形状の筒体として構成されており、その基端部が遊技媒体貸出装置１の筐体１ａに形成された保持部７の前面に形成された矩形の開口７ａ内に差し込まれ、基端部に形成された係止部１１ｇが所定の位置に係止されると共に、基端部下面が支軸８に軸支されることで、図３の矢印で示すように、左右方向に回動可能に保持される。この場合、基端部が保持部７内に支持されると、基端部に形成される矩形の開口１１ａは、前記メダル払出装置２００の排出口２０４に位置付けされ、上記したように排出口２０４から水平状態に払出されるメダルをシュート本体１１内に案内する。
【００２８】
また、摺動案内部１１Ａは、保持部７内に差し込まれた際、前方側の斜め下方に向けて延出するよう構成されており、メダル払出装置２００から払出されるメダルを前方下方向に向けて摺動案内する摺動面１１ｂを備えている。すなわち、メダル払出装置２００から払出されるメダルは、払出時の勢いが低下することはなく、そのままの状態（摺動面１１ｂに面接する水平状態）で下方向に向けて滑り降りて行く。
【００２９】
この場合、摺動案内部１１Ａ（摺動面１１ｂ）の幅Ｗは、払出されるメダルが滑り落ちるようにメダルの直径よりも大きく設定されていれば良いが、あまり大きくするとシュート本体が大型化するため、その上限については、メダル２枚分の幅よりも小さく設定しておくことが好ましい。また、摺動案内部１１Ａにおける前方への突出量は、スロットマシンに設けられる受皿１３０の位置に応じて設定しておけば良いが、後述するような伸縮機構によって、軸方向に長さ調節できるように構成しておくことが好ましい。
【００３０】
前記摺動面１１ｂの表面には、長さ方向に沿って所定長さの複数のリブ３０ａ，３０ｂが形成されている。本実施形態のリブは、摺動面１１ｂの比較的下流領域で落下案内部１１Ｂに移行する領域に亘って２本形成されている。そして、この２本のリブ３０ａ，３０ｂは、その幅ｗが、メダルが摺動面１１ｂのどの位置を摺動しても、両方のリブ３０ａ，３０ｂがメダルの表面と必ず接触できる大きさ、及び位置に形成されている。このため、リブは、摺動面の中心に対して、多少ずれて配設されていても良い。
【００３１】
このようなリブ３０ａ，３０ｂを形成しておくことで、摺動するメダルの表面はリブとの間で点接触するようになり、これにより、メダルに作用する摩擦抵抗の軽減が図れるようになる。従って、メダル払出装置２００からの払出しの勢いが低下するのを抑制することができ、より軽快な払出しが実現されると共に、異物等が付着し難いことから摩擦抵抗の増大が抑制され、長期に亘って、詰まり等を生じさせることなく使用を継続することができる。
【００３２】
なお、各リブ３０ａ，３０ｂの形状については、接触面積がより小さくなるように、断面を湾曲形状に形成しておくことが好ましい。すなわち、このように湾曲形状にすることで、メダルが長期に亘って摺動しても、湾曲部の頂部Ｐに異物等が付着し難い構成となり、長期に亘って安定した滑り作用が得られる。
【００３３】
また、上記したリブ３０ａ，３０ｂは、メダルが通過することを検知可能なメダルセンサとして構成されている。具体的には、各リブ３０ａ，３０ｂは、導電性のある金属で形成されており、摺動面１１ｂに長手方向に延出する凹溝を形成して埋設されている。この場合、各リブ３０ａ，３０ｂは、例えば、図７（ａ）に示すような検知回路５０に接続されており、一方のリブに所定の電圧Ｖｃｃを加えた状態で出力部Ｔの電圧値を検出することで、メダルの通過状況を検知することが可能となっている。
【００３４】
すなわち、上記リブ３０ａ，３０ｂの内、一方のリブ３０ｂを接地し、他方のリブ３０ａに検知回路５０を接続しておくことで、メダルがリブ３０ａ，３０ｂ上を摺動すると、両リブ間は一時的に短絡された状態になることから、出力部ＴからはＶｃｃよりも低下した電圧値が連続排出されるメダルの通過毎に検出されるようになる。この場合、出力部Ｔで得られる検知電圧について、所定の閾値を設定しておくことにより、メダルが通過する毎に、図７（ｂ）に示すようなＬ／Ｈ信号を得ることができる。
【００３５】
そして、このようなＬ／Ｈ信号が得られている状態で、メダル詰まりが生じると、メダルは、リブ３０ａ，３０ｂに接触した状態になることから、検知回路５０の出力部Ｔからは連続してＬ信号が検知されるようになる。従って、検知されるＬ信号が所定の時間以上となった場合、それはメダルが詰まったこととして検知することが可能となる。
【００３６】
図８は、遊技媒体貸出装置１の動作を制御すると共に、メダル詰まりが生じた際、メダル払出装置２００の駆動を停止制御する制御手段としての機能を備えた制御回路基板７０の構成例を示すブロック図である。
【００３７】
制御回路基板７０は、装置全体の動作を制御するＣＰＵ７１、上記した検知回路５０、メダル払出装置を駆動する払出装置駆動回路７２、払出完了信号回路７３、検知回路５０から得られる検知信号を計時するタイマ７５等を実装して構成されている。
【００３８】
上記した制御回路基板７０のＣＰＵ７１には、遊技者が紙幣、或いは有価媒体（プリペイドカードなど）を投入し、それが紙幣識別部８０及び有価媒体識別部８５によって真正と判別されると、指定された所定の払出枚数に関する信号が入力される。ＣＰＵ７１は、払出装置駆動回路７２に対して払出指令信号を出力し、これによりメダル払出装置２００の駆動モータを回転駆動する。メダルの払出しは、メダル払出装置２００に設けられたメダル検出部２１０Ｓにより検出され、払出完了信号回路７３は、メダル検出部２１０Ｓによってメダルが検出されるごとにメダル検出信号をＣＰＵ７１に出力する。そして、ＣＰＵ７１は、指定された所定の払出枚数に達した段階で、払出装置駆動回路７２に対し、払出し終了信号を出力してメダル払出装置２００の駆動を停止する。
【００３９】
この払出しが実行されている間、メダル払出装置２００から連続的に払出されるメダルは、図９から図１１に示すように、ノズルシュート１０を介して受皿に案内される。この際、メダルＭは、メダル払出装置２００の払出ユニット２０２に設けられたメダル排出機構によって、所定の勢いを持って水平状態で払出され、そのまま開口１１ａを介してシュート本体１１の摺動案内部１１Ａ内に案内される。
【００４０】
摺動案内部１１Ａ内では、メダルＭは、払出時の勢いが低下することはなく、そのままの状態でリブ３０ａ，３０ｂに接触した状態で下方向に向けて滑り降りて行き、その下端で、落下案内部１１Ｂに向けて垂直状態（略垂直状態）となってそのまま落下する。
【００４１】
そして、前記落下案内部１１Ｂを落下したメダルＭは、図１０に示すように、その下端部において、転動案内部１１Ｃの転動面１１ｃに当接し、この部分で起立した状態で受皿に向けて転動案内される。そして、最終的に転動案内部１１Ｃで転動するメダルＭは、図１１に示すように、その先端領域に設けられた転動抑止手段２０によって斜めに姿勢変化を受けながら、受皿１３０上で転動するようなことなく排出される。
【００４２】
上記したように、摺動案内部１１Ａにメダルセンサ付きのリブ３０ａ，３０ｂを設けたため、メダルとの間の接触抵抗が軽減し、メダル通路でのメダルの流れがスムーズになってメダル詰まりが生じる可能性が低くなる。また、排出口２０４から排出される水平状態のメダルを、水平状態のまま（姿勢変化させることなく）ノズルシュート１０に投入する構成であることから、さらに、メダル詰まりが生じる可能性が低くなる。
【００４３】
そして、上記したメダルの払出し動作中に、メダル詰まりが生じた場合、メダルは、摺動案内部１１Ａにおいて滑り落ちることができなくなり、リブ３０ａ，３０ｂに接触した状態になることから、検知回路５０の出力部Ｔから所定時間を越えてＬ信号が検知されるようになる。この際、上記したＣＰＵ７１は、払出装置駆動回路７２に対して払出停止指令信号を出力してメダル払出装置２００の駆動モータを停止制御すると共に、未払いのメダル枚数を記憶しておく。そして、メダル除去作業によってメダル詰まりが解消された後、ＣＰＵ７１は、未払いのメダルを払出すべく、再び払出装置駆動回路７２に対して払出指令信号を出力する。
【００４４】
上記した構成では、メダルの通過を検知する部分を、メダルが起立して転動する部分ではなく、摺動面上に設けられたリブとしたことで、メダル詰まりの検知精度を向上することができる。すなわち、前者の構成では、複数枚のメダルが重なった状態で転動したような場合、所定時間を越えてメダルが案内路に存在していることを検知してしまう可能性があるが、本実施形態の構成（後者の構成）では、メダルはリブ上を高速で滑り落ちる構成であることから、そのような誤った検知が生じる可能性が低くなる。
【００４５】
また、メダル通路の幅（摺動面１１ｂの幅）をメダルが複数枚並べて通過できない幅とし、さらに、メダル検出センサ付きリブ３０ａ，３０ｂは、メダル１枚分を検知することができる幅、及び位置に設定したことで、確実に１枚分のメダルが検出できるようになり、正確に精度良くメダルを検知することができる。また、メダル通路の幅を無用な広さにすることが無いため、構造的にノズルシュートを小型化することが可能となる。
【００４６】
以上、本発明の実施形態について説明したが、本発明は、上記した実施形態に限定されることは無く、適宜変形することが可能である。例えば、上記したノズルシュートは、筒状に構成したが、部分的に開放部や開口孔が形成されていても良い。すなわち、このような開放部や開口部が形成されることで、メダルが詰まった際に、容易に除去することが可能となる。また、ノズルシュート本体１１は、上記した摺動案内部１１Ａ、落下案内部１１Ｂ及び転動案内部１１Ｃが樹脂等によって一体形成されていても良いし、複数の部材を分割して組み合わせて構成されていても良い。例えば、上述したように、転動案内部１１Ｃについては、先端部分に転動抑止手段２０を形成したメダル排出ガイド１１ｅを別体として成形し、これを転動案内部１１Ｃに対して回動可能となるように構成しても良い。或いは、図３から図５に示すように、摺動案内部１１Ａの中間部分を分割して両者を差し込み式に構成すると共に、両者の間に差込位置を調節できる伸縮機構２５を設けておくことで、摺動案内部１１Ａの突出長さをスロットマシンの構成に応じて調節することが可能となる。この場合、伸縮機構２５については、例えば、分割される一方の部材に突部２５ａを形成しておき、他方の部材にその突部２５ａが位置調節して係止できるような多数の係止部（長孔２５ｂに形成される凹凸２５ｃなど）を形成することで構成することが可能である。
【００４７】
また、ノズルシュート１０は、上記した実施形態の形状に限定されることはない。例えば、メダル払出装置から受皿に至るまでの案内経路全てを摺動案内面によって構成しても良い。
【００４８】
また、上記したメダル検知用のリブが設けられる位置は、図に示すように、摺動案内部１１Ａのみならず、落下案内部１１Ｂに延在していても良い。また、メダル検知するリブが設けられる位置は、受皿１３０に対する排出部に近い位置に設置しておくことが好ましい。すなわち、メダル詰まりは、排出部領域で生じることが最も多いため、排出部に近い領域に設けておくことで早期にメダル詰まりを解消することが可能となる。
【００４９】
さらに、リブは、メダルが安定して摺動できるように、少なくとも２本以上形成されていれば良く、また、３本以上に亘って、メダルの通過を検知する検知センサとして構成しても良い。
【図面の簡単な説明】
【００５０】
【図１】本発明に係る遊技媒体貸出装置の一構成例を示す図。
【図２】遊技媒体貸出装置内に設置される遊技媒体払出装置の一構成例を示す図。
【図３】ノズルシュートを回動した状態を示す平面図。
【図４】ノズルシュートの正面図。
【図５】ノズルシュートの側面図。
【図６】図５のＡ−Ａ線に沿った断面図。
【図７】（ａ）は、メダルの通過状態を検知する検知回路の一例を示す図、（ｂ）は、メダルの通過によって得られる信号を示す図。
【図８】遊技媒体貸出装置の動作を制御すると制御回路基板の構成例を示すブロック図。
【図９】メダルの挙動を説明する図であり、ノズルシュートの側面図。
【図１０】メダルの挙動を説明する図であり、ノズルシュートの正面図。
【図１１】メダルの挙動を説明する図であり、排出部分を示す図。
【符号の説明】
【００５１】
１  遊技媒体貸出装置
１０  ノズルシュート
１１  ノズルシュート本体
１１Ａ  摺動案内部
１１Ｂ  落下案内部
１１Ｃ  転動案内部
３０ａ，３０ｂ  リブ
５０  検知回路
７０  制御回路基板（制御手段）
１００  スロットマシン（遊技機）
１３０  受皿
２００  メダル払出装置（遊技媒体払出装置）
【図１】
0004812424.tif 000002
【図２】
0004812424.tif 000003
【図３】
0004812424.tif 000004
【図４】
0004812424.tif 000005
【図５】
0004812424.tif 000006
【図６】
0004812424.tif 000007
【図７】
0004812424.tif 000008
【図８】
0004812424.tif 000009
【図９】
0004812424.tif 000010
【図１０】
0004812424.tif 000011
【図１１】
0004812424.tif 000012